(57)【要約】  大判新聞（１０）を製造する方法が提供される。この方法は、以下のステップ、ウェブ（１００，１０２）に画像を印刷し、折り（４０，１４）を形成するためにウェブを縦折りし、折り丁（５０，１１２）からウェブを横裁ちし、３３％以下または６７％以上の高さにおいて折り丁を横折り（６０，７０，１２）する、ステップを有する。さらに好適な大判新聞（１０）を製造する方法が提供される。この方法は、以下のステップ、ウェブ（１００，１０２）に画像を印刷し、折り（４０，１４）を形成するためにウェブを縦折りし、折り丁（５０，１１２）を形成するためにウェブを横裁ちし、新聞の縁部から高さの１０．５インチ以上の位置で折り丁を横折り（６０，７０，１２）する。大判新聞も提供される。印刷機も提供される。
2011519802.tif 000002
【特許請求の範囲】
【請求項１】
大判新聞を製造する方法において、
以下のステップ、
ウェブに画像を印刷し、
折りを形成するためにウェブを縦折りし、
折り丁を形成するためにウェブを横裁ちし、
３３％以下または６７％以上の高さにおいて折り丁を横折りする、
ステップを有することを特徴とする、大判新聞を製造する方法。
【請求項２】
横折りは、高さの２８．４％の位置に配置されている、請求項１記載の方法。
【請求項３】
横折りは、高さの７１．６％の位置に配置されている、請求項１記載の方法。
【請求項４】
大判新聞を製造する方法において、
以下のステップ、
ウェブに画像を印刷し、
折りを形成するためにウェブを縦折りし、
折り丁を形成するためにウェブを横裁ちし、
新聞の縁部から１０．５インチ以上の高さで折り丁を横折りする、
ステップを有することを特徴とする、大判新聞を製造する方法。
【請求項５】
横折りは、面とフラップとを規定し、面は、１０．５インチ以上の高さを有し、フラップの高さは、前記面の高さよりも小さい、請求項４記載の方法。
【請求項６】
フラップは、４．１７インチの高さを有する、請求項４記載の方法。
【請求項７】
印刷機において、
ウェブを印刷する少なくとも１つの印刷ユニットを備え、
ウェブを縦折りするフォーマを備え、
縦折りされたウェブを断裁して新聞を形成するための横裁ち装置を備え、
新聞を横折りするための折り胴を備え、横折りは、大判新聞の縁部から１０．５インチ以上の位置に配置され、横折りは、縦折りに対して垂直であり、横折りは、面とフラップとを規定し、面は、１０．５インチ以上の高さを有し、フラップの高さは、前記面の高さよりも小さい、
ことを特徴とする、印刷機。
【請求項８】
大判新聞において、
大判新聞を形成するために縦折りされた被印刷材料を備え、
大判新聞の高さの３３％以下の位置に配置された横折りを備える、
ことを特徴とする、大判新聞。
【請求項９】
大判新聞は、約１４．６７インチの全高を有し、約４．１７インチの位置で横折りを有する、請求項８記載の大判新聞。
【請求項１０】
横折りは、新聞の高さの２８．４％の位置に配置されている、請求項８記載の大判新聞。
【請求項１１】
大判新聞において、
大判新聞を形成するために縦折りされた被印刷材料を備え、
大判新聞の縁部から１０．５インチ以上の位置に配置された横折りを備え、横折りは、縦折りに対して垂直に位置しており、横折りは、面とフラップとを規定し、面は、１０．５インチ以上の高さを有し、フラップの高さは、面の高さより小さい、ことを特徴とする、大判新聞。
【請求項１２】
フラップは、４．１７インチの高さを有する、請求項１１記載の大判新聞。
【発明の詳細な説明】
【技術分野】
【０００１】
本発明は、概して、新聞、新聞印刷機および折り装置ならびに大判（broadsheet）新聞に関する。
【０００２】
米国特許第６９３５２３４号明細書において、新聞印刷機が開示されていて、その開示内容を本願に援用する。
【０００３】
米国特許出願公開第２００７／０２６１５７６号明細書には、版胴上にタブロイド判頁を縦置きした配置構成が開示されており、製作されるタブロイド判書物の裏面は、ホッパ形のフォーマを介して縦折りされる間に形成される。横方向の折りは、もはや要求されない。タブロイド判書物は、横方向の断裁およびフォーマ折りを経て得られる。
【０００４】
米国特許第６３６７７９２号明細書、米国特許第６６８８２２４号明細書、米国特許第６７３３４３１号明細書および米国特許第６７５２７５１号明細書において、折り装置が開示されており、その開示内容を本願に援用する。米国特許第６０８２７２４号明細書において、新聞のカバーに入紙を配置するためのインサータが開示されている。
【０００５】
折り畳まれていないベルリナー判または中型判の新聞は、通常、約４７０ｍｍ（１８．５インチ）の高さと３１５ｍｍ（１２．０〜１２．５インチ）の幅とを有している。Ｌｅ  Ｍｏｎｄ、Ｌａ  ＶａｇｕａｒｄｉａおよびＬａ  Ｒｅｐｕｂｂｌｉｃａを含む幾つかの欧州の新聞は、この判型を用いている。ベルリナー判または中型判は、概して、フォーマで折り畳まれないタブロイド判とは異なって、フォーマで縦折りされるだけでなく、横折りされている。横折りは、概して、高さの中央、つまり２３５ｍｍに位置する。
【０００６】
発明の概要
本発明により、被印刷材料から成る大判新聞が提供され、新聞は、約１４．６７インチの高さを有し、約４．１７インチの位置に横折りを有している。
【０００７】
本発明により、大判新聞が提供される。大判新聞は、大判新聞を形成するために縦折りされた被印刷材料を含み、横折りは、大判新聞の高さの３３％以下の位置に配置されている。
【０００８】
本発明により、別の構成をした大判新聞が提供される。この別の構成をした大判新聞は、大判新聞を形成するために縦折りされた被印刷材料を含み、横折りは、大判新聞の縁部から１０．５インチ以上の位置に配置されている。横折りは、縦折りに対して垂直であり、横折りは、面とフラップ若しくは折り返しとを規定する。表面は、１０．５インチ以上の高さを有しており、フラップは、１０．５インチ未満の高さを有している。
【０００９】
本発明により、大判新聞を製造する方法が提供される。この方法は、以下のステップ、ウェブに画像を印刷し、折りを形成するためにウェブを縦折りし、折り丁を形成するためにウェブを横裁ちし、高さの３３％以下または６７％以上の位置で折り丁を横折りする、ステップを有している。
【００１０】
また本発明により、大判新聞を製造する別の方法が提供される。この方法は、以下のステップ、ウェブに画像を印刷し、折りを形成するためにウェブを縦折りし、折り丁を形成するためにウェブを横裁ちし、新聞の縁部から高さの１０．５インチ以上の位置で折り丁を横折りする、ステップを有している。
【００１１】
さらに本発明により、印刷機が提供される。この印刷機は、ウェブを印刷する少なくとも１つの印刷ユニットを備えており、ウェブを縦折りするフォーマを備えており、縦折りされたウェブを断裁して新聞を形成するための横裁ち装置を備えており、新聞を横折りするための折り胴を備えている。横折りは、大判新聞の縁部から１０．５インチ以上の位置に配置されており、横折りは、縦折りに対して垂直である。横折りは、面とフラップとを規定し、面は、１０．５インチ以上の高さを有している。フラップの高さは、面の高さよりも小さくなっている。
【００１２】
この距離で中央からずらした横折りを有している場合、より長い側を有する可変判型の大判新聞が得られ、この大判新聞は、比較的小さなサイズの大判新聞でも、入紙を許容する。
【００１３】
好適な形態では、大判新聞は、約１４．６７インチの高さを有しており、製品のピン留めされる縁部と折りブレードとの間の距離は、約４．１７インチ以下であり、折りブレードと製品のピン留めされない縁部との間の距離は、１０．５インチ以上である。これにより１０．５インチの面と４．１７インチのフラップとを有する新聞が提供される。したがって１０．５インチの面は、外側に突出することなく新聞に標準の１０．５インチの入紙の挿入を許容する。
【００１４】
本発明により、約１４．６７インチの高さと、約４．１７インチの位置に設けられた横折りとを有する大判新聞が提供される。
【００１５】
以下に、図面に基づいて、本発明の好適な実施の形態を説明する。
【図面の簡単な説明】
【００１６】
【図１】本発明による大判新聞を斜視図で示す。
【図２】図１に示す大判新聞を正面図で示す。
【図３】折り畳まれた、図２に示す大判新聞を正面図で示す。
【図４】入紙を備えた、図３に示す折り畳まれた大判新聞を背面図で示す。
【図５】複数のセクションを含む、図１に示す大判新聞を斜視図で示す。
【図６】横折りおよび折りで開いた、図１に示す大判新聞を示す。
【図７】本発明による大判新聞印刷機を概略図で示す。
【００１７】
図７は、印刷部１００を備えた大判新聞印刷機１１０を示しており、印刷部１００は、多色で、たとえばシアン、マゼンタ、イエローおよびブラックで印刷を行うたとえばオフセット、両面、平版式のウェブ印刷部であってよい。各印刷ユニット１２０，１４０，１６０，１８０は、ウェブ１０２に異なる色を印刷することができる。各印刷ユニット１２０，１４０，１６０，１８０は、対応する、刷版を装着した版胴１２２，１４２，１６２，１８２を備えることができ、たとえば刷版１２３，１４３が版胴１２２，１４２にそれぞれ装着されている。版胴１４２は、周方向に１枚の刷版が取り付けられた１版周胴であり、刷版１４３は、４４インチ（１インチは約２．５４ｃｍ）の円周を有してよい。好適な別の実施の形態では、版胴１２２は、刷版１２３を介して３つの画像を有する。ウェブ１０２は、４８インチの幅を有してよい。
【００１８】
ウェブ１０２は、方向Ｘに、印刷部１００から折り装置８０に走行する。ウェブ１０２は、スリッタ２０によって断裁されてリボンが形成され、これらのリボンは、ローラ１３０で場合によっては別のリボン１０８と再び組み合わされる。そのあとでウェブ１０２のリボンは、折り装置８０に進入し、縦折り用のフォーマ４０を通過する。リボンは、走行方向に、半分に縦折りされる（図１〜図３の折り１４参照）。ナイフブレード５２を備えた横裁ち装置５０は、リボンを断裁して大判新聞１１２を形成し、大判新聞１１２は、前縁部で、折り胴６０に設けられたグリッパ６２によって把持される。グリッパ６２は、たとえばピンまたはピンレスグリップ用の押さえ装置であってよい。横裁ち装置５０は、時計回り方向に回転し、折り胴６０は、反時計回り方向に回転し、くわえ胴７０は、時計回り方向に回転する。折り胴６０に設けられた折りブレード６４は、把持された新聞１１２をくわえ胴７０のくわえ装置７２に押し込み、横折り１２を新聞１１２に形成し、大判新聞１０を形成する（図１〜図３の横折り１２参照）。
【００１９】
好適な実施の形態では、新聞１１２は、横裁ち装置５０によって、たとえば約１４．６７インチの全高を有するように断裁されている。表紙のセクションは、好適には１０．５インチの長さを有するよう所望されるので、グリッパ６２および把持される新聞１１２の縁部１５（図２参照）と折りブレード６４との間の距離は、約４．１７インチ以下であり、したがって折りブレード６４とピン留めされない縁部１１（図２参照）との間の距離は、１０．５インチ以上である。
【００２０】
大判新聞１０は、くわえ胴１０から外されて、下流側へたとえば羽根車、ベルトコンベヤ、グリッパ取出装置に搬送され、次いで複数のポケット９８を備えたポケットコンベヤ９０に搬出される（ここでは簡略にするためポケットコンベヤ９０のみを示した）。羽根車およびベルトコンベヤは、米国特許第６７３３３４１号明細書に例示されており、その内容を本願に援用する。大判新聞１０は、追加的に折り畳むために１／４折り装置に搬送してもよい。入紙２０（図４）は、たとえばホッパ機構によって下流側で新聞１０に配置してもよい。
【００２１】
制御装置９２は、折り胴６０のグリッパ６２と折りブレード６４との間の位相位置を設定し、くわえ胴７０のくわえ装置７２の位相を制御することができるので、横折り間隔を設定することができる。位相制御のために、横折りは、新聞の高さの３３％以下または６７％以上に設定することができる。この偏りにより、好適には、たとえば比較的長い側または面と比較的短いフラップとを備えた新聞を提供することにより、より小さな判の新聞が、標準サイズの入紙を収容することができる。より長い側または面を提供することにより、有利には、従来の新聞の外観の維持を補助することができ、下流側で挟み込まれた標準サイズの入紙を保護することができる。さらに折り装置スパイダが、グリッパ６２、折りブレード６４およびくわえ装置７１の位相調整を提供してもよい。
【００２２】
図１は、印刷機１００で印刷され、折り畳まれた、横折り１２および縦折り１４を有する大判新聞１０を斜視図で示す。
【００２３】
図２は、大判新聞１０を正面図で示す。新聞１０は、新聞１０が折りされているが横折りされていない場合に、高さＨ0と幅Ｗ1とを有する。高さＨ0は、たとえば１４．６７インチで、幅Ｗ1は、たとえば１２．０インチであってよい。幅は、たとえば１０．０〜２０インチであってもよい。高さＨ0は、横折り１２の上側に高さＨ1と横折り１２の下側に高さＨ2とを有している。高さＨ1は、たとえば１０．５インチ、つまり新聞高さＨ0の７１．６％であってよい。高さＨ2はたとえば４．１７インチ、つまり新聞高さＨ0の２８．４％であってよい。付加的な好適な実施の形態では、高さＨ1は新聞高さＨ0の６７％以上であってよく、横折りの下側の高さＨ2は３３％以下であってよく、またその逆に、高さＨ1は３３％以下であってよく、高さＨ2は６７％以上であってよい。
【００２４】
縁部１５は、たとえばピン留めされるかまたは把持される前縁部であってよい。縁部１５は、折り胴によって把持して、横折り１２を形成することができる。縁部１４は、縦折り縁部であり、縁部１３は、縦折りされた縁部１４とは反対側の縁部である。縁部１１は、把持される縁部１５とは反対側の把持されない縁部であってよい。
【００２５】
図３には、横折り１２で折り畳まれた新聞１０を正面図で示す。新聞１０の高さＨ2は、新聞１０の高さＨ1の裏側に折り返されていて、フラップを形成している。
【００２６】
図４には、複数の入紙２０を備えた新聞１０を背面図で示す。入紙２０は、フラップ１６の内側に配置することができる。入紙２０は、標準サイズの入紙であってよく、たとえば１０．５インチの高さで新聞１０の高さＨ1と同じである。入紙２０は、複数のサイズの組合せであってもよい。入紙は、ホッパから供給することができる。したがって１０．５インチの入紙２０を備えた大判新聞は、たとえば１４．６７インチのより短い全高を有する大判新聞を用いて形成することができる。
【００２７】
図５に示すように、新聞１０は、多数のセクション１７，１８を有していてよい。各セクションは、新聞１０の所望のレイアウトに基づいている。たとえばセクション１７は、ニュースを含み、セクション１８は、スポーツを含んでいてよい。各セクション１７，１８は、複数のページまたはシートを含んでいてよい。新聞１０には複数のセクションが含まれていてよい。セクションには、たとえば娯楽、科学、経済、国際、地域などが含まれていてよい。
【００２８】
新聞１０は、図６に示すように完全に開かれてよい。縦折り１４で折り畳まれない場合、新聞１０は、全幅Ｗ0を有している。全幅Ｗ0は、たとえば２４．０インチであってよい。
【００２９】
折り１４は、新聞１０の縁部１３から、たとえば２４．０インチの全幅Ｗ0の中央に配置してよい。したがって折り１４で折り畳まれると、新聞１０は、たとえば図２に示すように１２インチの幅Ｗ1を有する。
【００３０】
有利には、４８インチ幅のウェブを、印刷機１１０で印刷することができ、２４インチ幅の２つのウェブリボンに断裁することができる。大判新聞は、縁部１５に沿ってピン留めされてよく、１４．６７インチの高さを有するように断裁することができる。折り胴６０およびくわえ胴７０は、コレクトモードで運転するように設計することができ、コレクトモードでは、新聞は、くわえ装置７２に押し込んで折り畳まれるまえに折り胴６０に集められる。
【００３１】
さらに、４４インチの円周を有する、２版周の版胴または２つの固定装置を備えた既存の版胴を、新聞１０を印刷するように改造することができる。１８０°に配置された刷版固定装置は、充填または除去されてよく、３つの画像を有する１枚の刷版１４３を、１４．６７インチの高さをそれぞれ有する３つの画像をウェブ１０２に印刷するために版胴１４２に取り付けてよい。
【００３２】
横折りは、どちらかで行うことができるので、３３％以下が６７％以上を含む。したがって新聞１１２は、折りブレード６４およびグリッパ６２が縁部１５または縁部１１１に関して調整されるように、位置決めすることができる。
【図１】
2011519802.tif 000003
【図２】
2011519802.tif 000004
【図３】
2011519802.tif 000005
【図４】
2011519802.tif 000006
【図５】
2011519802.tif 000007
【図６】
2011519802.tif 000008
【図７】
2011519802.tif 000009
【国際調査報告】
2011519802.tif 000010